(57)【要約】  柄（２）及び毛を備えたヘッドを含む歯ブラシ（１）において、このヘッド（４）は柄（２）との関係において枢動する形で組付けられており、柄（２）が、この柄（２）の長手方向軸に沿って突出し空間（７）を画定する２本のアーム（５）を一端部（３）に含み、ヘッド（４）は、アーム（５）により画定された空間（７）内で枢動する形で組付けられている、歯ブラシ（１）。【選択図】  図８
2018509959.tif 000002
【特許請求の範囲】
【請求項１】
柄（２）及び毛を備えたヘッド（４）を含む歯ブラシ（１）において、このヘッド（４）は柄（２）との関係において枢動する形で組付けられており、柄（２）が、この柄２の長手方向軸に沿って突出し空間（７）を画定する２本のアーム（５）を一端部（３）に含み、ヘッド（４）は、アーム（５）を通過しアーム（５）に直交する軸に沿って、アーム（５）により画定された空間（７）内で枢動する形で組付けられており、柄（２）は、この柄の一端部まで柄の内部に延在する剛性ロッド（２０）と一体化したボタン（１９）を含み、このボタンが、２つの位置、すなわちロッド（２０）が長手方向軸（６）に沿ってアーム（５）により画定された空間（７）内に突出して延在し、ロッド（２０）がベース（９）の前面（１５）上に設けられたノッチ（１４）内に部分的に挿入されているロック位置と、ロッド（２０）が引込まれアーム（５）により画定された空間（７）内に延在しないアンロック位置とを含み、アンロック位置でヘッド（４）が自由に枢動する、歯ブラシ（１）。
【請求項２】
ヘッド（４）には、このヘッドを貫通する穴（１３）を含むベース（９）が備わっていることを特徴とする、請求項１に記載の歯ブラシ（１）。
【請求項３】
各々のアーム（５）が１つの穿孔（８）を含むことを特徴とする、請求項２に記載の歯ブラシ（１）。
【請求項４】
ヘッド（４）が、２つの穿孔（８）のうちの１つを横断して挿入されたピン（１８）を介してアーム（５）上に枢動する形で組付けられており、このピン（１８）が、ベース（９）を貫通し、別の穿孔（８）と係合している、請求項３に記載の歯ブラシ（１）。
【請求項５】
ベース（９）の前面（１５）と穿孔（８）の中心とを離隔する距離に対応する距離（ｄ１）が、柄（２）の内部壁（１７）と穿孔（８）の中心とを離隔する距離（ｄ３）よりも小さいことを特徴とする、請求項３または４のいずれか１項に記載の歯ブラシ（１）。
【請求項６】
ベース（９）の後面（１６）と穿孔（８）の中心とを離隔する距離に対応する距離（ｄ２）が、柄（２）の内部壁（１７）と穿孔（８）の中心とを離隔する距離（ｄ３）よりも小さいことを特徴とする、請求項５に記載の歯ブラシ（１）。
【発明の詳細な説明】
【技術分野】
【０００１】
本発明は、歯ブラシの分野、より詳細には回転ヘッドを有する歯ブラシの分野に関する。
【背景技術】
【０００２】
歯ブラシは、その最も普及したバージョンにおいて、先端に細長い形状のヘッドが延在する柄を含んでいる。このヘッドは、歯、歯肉及び口腔粘膜を清掃できるようにする毛束を有する。
【０００３】
しかしながら、口の一部のゾーンは相変わらずアクセス困難である。特に、上歯列と下歯列の口蓋側面及び舌側面の場合がそれである。
【０００４】
歯列の口蓋側及び舌側ゾーンにアクセスできるように、技術的解決法が提案されてきた。米国特許第２０９１７１６号明細書（ＪＯＨＮ  Ｊ．ＰＥＴＴＡ）には、２つの位置すなわちヘッドが柄の延長部内に延在する第１の位置とヘッドが柄に直交して延在する第２の位置との間で、ヘッドが本体との関係において枢動する形で組付けられている歯ブラシが記載されている。
【０００５】
この歯ブラシは、それに割当てられた目的を達成するように思われる。しかしながら、この歯ブラシには複数の欠点があることを認めざるを得ない。
【０００６】
特に、歯ブラシのヘッドがその第１の位置にある場合に、柄の一部分がヘッドの中に収まっている。したがって、ブラシヘッド内で柄が位置する収納部は、柄の幅以上の幅を有する。この収納部には、毛が具備され得ず、そのため、歯ブラシの清掃効率が損なわれ、歯ブラシの主要な機能が侵害される。
【先行技術文献】
【特許文献】
【０００７】
【特許文献１】米国特許第２０９１７１６号明細書
【発明の概要】
【発明が解決しようとする課題】
【０００８】
提起された技術的問題を解決するために、本発明は、
−  ユーザーの体形に適応しながら、歯列の口蓋側及び舌側面を清掃できるようにする、
−  全面的に毛束が具備されたヘッドを有し、こうして清掃効率がヘッドの表面全体にわたり均一になっている、
歯ブラシを提案することという複数の目標を有する。
【課題を解決するための手段】
【０００９】
このために、まず第１に、柄及び毛を備えたヘッドを含む歯ブラシにおいて、このヘッドは柄との関係において枢動する形で組付けられており、柄が、この柄２の長手方向軸に沿って突出し空間を画定する２本のアームを一端部に含み、ヘッドが、アームを通過しアームに直交する軸に沿って、アームにより画定された空間内で枢動する形で組付けられている歯ブラシが提案されている。
【００１０】
このような歯ブラシは、ユーザーの体形に適応しながら、歯列の口蓋側及び舌側面の清掃を可能にする。その上、ヘッドには全面的に毛束が備わり、そのため、清掃効率はヘッドの表面全体にわたり均一となる。
【００１１】
さまざまな補足的特徴が、単独でまたは組合せた形で想定されている：
−  ヘッドには、このヘッドを貫通する穴を含むベースが備わっている； 
−  各アームは、１つの穿孔を含む；
−  ヘッドは、２つの穿孔のうちの１つを横断して挿入されたピンを用いてアーム上に枢動する形で組付けられており、このピンは、ベースを貫通し、別の穿孔と係合している；
−  柄は、剛性ロッドと一体化したボタンを含む；
−  ロッドは、この柄の一端部まで柄の内部に延在する；
−  ボタンは、２つの位置、すなわち、ロッドが長手方向軸に沿ってアームにより画定された空間内に突出して延在し、ロッドがベースの前面上に設けられたノッチ内に部分的に挿入されているロック位置と、ロッドが引込まれアームにより画定された空間内に延在しないアンロック位置とを含む；
−  ベースの前面と穿孔の中心とを離隔する距離に対応する距離ｄ１は、柄の内部壁と穿孔の中心とを離隔する距離ｄ３よりも小さい；
−  ベースの後面と穿孔の中心とを離隔する距離に対応する距離ｄ２は、柄２の内部壁１７と穿孔８の中心とを離隔する距離ｄ３よりも小さい。
【００１２】
本発明の他の特徴及び利点は、添付図面を参照しながら、以下の実施形態の説明を読むことによってより明確にかつ具体的に理解されるものである。
【図面の簡単な説明】
【００１３】
【図１】歯ブラシの斜視図である。
【図２】円内に詳細図を伴う、図１の歯ブラシの接近斜視図である。
【図３】円内に詳細図を伴う、特定の使用に係る歯ブラシを提示する斜視図である。
【図４】先行図の歯ブラシの作動を表わす斜視図である。
【図５】歯ブラシの分解組立図である。
【図６】歯ブラシの使用の斜視図である。
【図７】歯ブラシの別の使用の斜視図である。
【図８】歯ブラシの別の使用の斜視図である。
【発明を実施するための形態】
【００１４】
図１には、一端部３にヘッド４が組付けられている柄２を含む歯ブラシ１が表わされている。
【００１５】
端部３は、図４により詳細に表わされている。端部３は、柄２の長手方向軸６に沿って突出する２つのアーム５を含む。アーム５は、間に空間７を画定している。各アーム５は、穿孔８を含む。穿孔８は互いに対面する。
【００１６】
ヘッド４は、ほぼ矩形の形状を有する。ヘッド４には、ベース９が備わり、このベースの上に毛束１０が固定される。毛束１０は、ユーザーの歯列１１及び口腔粘膜１２と接触するようになっている。
【００１７】
ベース９は、このベースを貫通する穴１３を含む。穴１３は、円形断面を有する。ベース９は、同様に、前面１５上に位置するノッチ１４をも含んでいる。
【００１８】
ヘッド４は、穴１３が穿孔８に対面するような形で空間内にヘッドを位置付けしながら柄２の上に組付けられる。このとき、２つの穿孔８の１つを横断してピン１８が挿入され、ベース９を横断して、最後に別の穿孔８と係合する。
【００１９】
このとき、ヘッド４は、柄２との関係において枢動する形で組付けられる。ヘッドは、３６０°枢動でき、したがって、完全に一回転できる。ヘッドが枢動できるためには、それぞれ前面１５と穿孔８の中心（図示せず）との間の距離及び後面１８と穿孔８の中心との間の距離に対応する距離ｄ１及び距離ｄ２が、柄の内部壁１７と穿孔８の中心とを離隔する距離ｄ３よりも小さいことが必要である。
【００２０】
柄２は、剛性ロッド２０と一体化したボタン１９を含む。ロッド２０は、ボタン１９から端部３まで、柄２の内部で延在する。ロッド２０は、ボタンの移動に応じて移動する。ボタン１９は２つの位置、すなわち、ロッド２０が柄２の長手方向軸６に沿って空間７内に突出して延在するロック位置と、ロッド２０が引込まれ空間７内に延在しないアンロック位置とを含む。ボタン１９の動きの運動学は、図４に表わされている。
【００２１】
ロッド２０のボタン１９は、ヘッド４の回転をロックすることができる。このためには、ベース９上に位置するノッチ１４がロッド２０と対面するような形でヘッド４を位置付けし、矢印２１にしたがってボタン１９を移動させるだけでよい。このとき、ロッド２０は、ノッチ１４内に入り、こうしてヘッドの回転をロックする。
【００２２】
このような歯ブラシ１は、こうして、ヘッド４がロックされている場合または自由に枢動できる場合に、同様に使用可能である。ヘッド４が自由に枢動できる場合、ユーザーは、図６に表わされている通り、歯列の口蓋側及び舌側の面を容易に清掃することができる。この歯ブラシは同様に、図８に表わされているように、柄との関係におけるヘッド４の枢動によって、ユーザーの体形に適応することもできる。
【００２３】
第２の実施形態において、ヘッド４の回転は、わずかな抵抗を呈する。換言すると、ユーザーは、ピン１８を中心にしてヘッド４を枢動させるために一定の力を加えなければならない。
【図１】
2018509959.tif 000003
【図２】
2018509959.tif 000004
【図３】
2018509959.tif 000005
【図４】
2018509959.tif 000006
【図５】
2018509959.tif 000007
【図６】
2018509959.tif 000008
【図７】
2018509959.tif 000009
【図８】
2018509959.tif 000010
【国際調査報告】
2018509959.tif 000011
2018509959.tif 000012
2018509959.tif 000013
2018509959.tif 000014
2018509959.tif 000015
2018509959.tif 000016